(57)【要約】【課題】迅速な溺水者の発見・救護を目的とし、実際の溺水状態を感知するための溺水感知器を提供する。【解決手段】唾液や水しぶき程度では浸水しにくいような容器、例えば穴をあけたカプセルや筒（３）内部に水溶性の係止物（２）を介在させ、ゴムひも（１）の両端が直接、あるいは容器を介して間接的に、この係止物（２）でつながれた状態にし、この感知部を口内に含んだうえで、輪になったゴムひも（１）を拡げ、張力を有した状態で頭に被っておくものであり、溺水時において、口内に流入する多量の水の水圧下で、容器内部が浸水することにより、係止物（２）が溶けて破断し、ゴムひも（１）の輪が一気に解き放たれるようにし、このゴムひも（１）に予め浮き（１１）やゴムひも（１）の張力消滅に連動するブザー（１１ｂ）を取付けておいて、これらを水面に浮上させて周りに知らせたり、ゴムひも（１）の張力消滅に反応するように予め膨張式浮揚具（１２）を連結しておいて、これを連動させたりして活用する。【選択図】図３
2020047232.tif 000002
【特許請求の範囲】
【請求項１】
溺水の判別を吸い込んだ水で行うものであり、その感知部は入水時の口内で使用する為、唾液や水しぶき程度では浸水しにくいような容器、例えば穴をあけたカプセルや筒（３）内部に水溶性の係止物（２）を介在させ、ゴムひも（１）の両端が直接、あるいは容器を介して間接的に、この係止物（２）でつながれた状態にし、この感知部を口内に含んだうえで、輪になったゴムひも（１）を拡げ、張力を有した状態で頭に被っておくものであり、溺水時において、口内に流入する多量の水の水圧下で、容器内部が浸水することにより、係止物（２）が溶けて破断し、ゴムひも（１）の輪が一気に解き放たれるようにし、このゴムひも（１）に予め浮き（１１）やゴムひも（１）の張力消滅に連動するブザー（１１ｂ）を取付けておいて、これらを水面に浮上させて周りに知らせたり、ゴムひも（１）の張力消滅に反応するように予め膨張式浮揚具（１２）を連結しておいて、これを連動させたりして活用するものであり、以上の要素で構成されていることを特徴とする溺水感知器である。
【発明の詳細な説明】
【技術分野】
【０００１】    本発明は、水泳や入浴で溺水した人をいち早く発見、もしくは救護する技術に関するものである。
【背景技術】
【０００２】    水感知式や手動レバー式の膨張式救命衣は、水泳や入浴時に使用されることは少ないと思われるが、救命用として広く使用されている。水泳や入浴時の溺水発見・救護の技術として多いのは、水圧センサーを用いたものである。水圧センサーを頭部付近に装着し、予め設定した沈水時間により潜水か溺水かを判別し、電波信号を発したり、身に着けた膨張式浮揚具を連動させるもの等がある。
【先行技術文献】
【特許文献】
【０００３】
【特許文献１】特開２００１−１８４５７４
【特許文献２】特開２０００−１５５８８１
【特許文献３】特開平  ０２−２４１８９０
【特許文献４】ＣＮ−Ａ−１０４８８１９５８
【特許文献５】ＣＮ−Ａ−１０４３４０３４４
【特許文献６】ＵＳ−Ａ１−００６１２９０３６
【発明の概要】
【発明が解決しようとする課題】
【０００４】    水感知式の膨張式救命衣は、着水に反応して作動してしまう。手動レバー式のみの膨張式救命衣は、入水状態で任意に作動させることができるが、溺水時に意識がある状態で的確な操作を必要とする。水圧センサーを用いたものは、実際の溺水状態を感知するものではないので、設定した沈水時間が短いと潜水か溺水かの判別を誤りやすく、また、設定する沈水時間を長くすると溺水時の発見・救護を遅らせることになる。【０００５】    本発明の溺水感知器は、実際の溺水状態を感知しようとするものであり、より迅速な溺水者の発見・救護を目的としたものである。
【課題を解決するための手段】
【０００６】    溺水状態になった者は、意識の有無に関わらず、本能的に口を開け呼吸をしようとする。結果、口内には多量の水が流入するが、本発明の溺水感知器はこの水を感知し、周りに知らせ、救護につながるよう構成されている。【０００７】    感知部は入水時の口内で使用する為、唾液や水しぶき程度では浸水しにくいような容器、例えば穴をあけたカプセルや筒（３）内部に水溶性の係止物（２）を介在させ、ゴムひも（１）の両端をこの係止物（２）につなぐか、その片端ずつを係止物（２）と容器につなぐか、あるいは、容器を分割式にしてその連結点に係止物（２）を設置する場合は、分割部それぞれに両端をつなぐようにしておき、この感知部を口内に含んだうえで、輪になったゴムひも（１）を拡げ、張力を有した状態で頭に被っておくようにする。【０００８】    容器の形状が限定されるものではないが、内部の状態を確認するべく透明なものが好ましく、溺水時浸水用穴を確保しておく。唾液や水しぶきは水量的にその水圧が溺水時浸水圧に比べ微弱で、小さな穴であれば浸水しにくいものであるが、多孔質膜や網や弁を取付けておくと、より浸水しにくくなる。これらは、一定の水圧以上で水を通す効果があるので、溺水時浸水圧でのみ通水するようにしておく。容器の壁を多孔状や網目状にしておいてもよい。係止物（２）は、紙やゼラチン、デンプン、砂糖というような水溶性の素材である必要があり、その形状や係止の方法が限定されるものではないが、通常時にゴムひも（１）の輪を拡げても十分に耐えうる強度でありながら、水に浸かると数秒で溶けて破断する程度にしておく。【０００９】    溺水時において、口内に流入する多量の水の水圧下で、容器内部が浸水することにより、係止物（２）が溶けて破断し、ゴムひも（１）の輪が一気に解き放たれるようにする。この際、容器を誤飲しないようゴムひも（１）の両端どちらかには必ず容器が保持されるようにする。分割式容器の場合は両端それぞれに保持されるものである。ゴムひも（１）に浮き（１１）を取付けておけば、水面に浮上して周りに知らせることができる。目立つ色が好ましく、使用者の特定情報を記しておけば有効である。浮き（１１）に取付けた器機により、ブザー音・電波信号（１１ｂ）を連動させても良い。ゴムひも（１）と身に着けた膨張式浮揚具（１２）を連動させることも有効である。
【発明の効果】
【００１０】    実際の溺水状態を数秒で感知すると同時に、取付けた浮き（１１）の浮揚や膨張式浮揚具（１２）の連動が始まるので、タイムロスが少なく、迅速な溺水者の発見・救護に期待できる。簡素な物で構成されており、安価である。
【図面の簡単な説明】
【００１１】
【図１】  本発明の使用例を示す右側側面図である。
【図２】  本発明の使用例を示す右側側面図である。
【図３】  本発明の使用例を示す正面側面図である。
【図４】  本発明の実施例を示す平面図である。
【図５】  本発明の実施例を示す正面側面図である。
【図６】  図４におけるＡ−Ａ線断面図である。
【図７】  図５におけるＢ−Ｂ線断面図である。
【図８】  図７におけるＣ−Ｃ線断面図である。
【図９】  本発明の実施例を示す組付け図である。
【図１０】  本発明の実施例を示す平面図である。
【図１１】  図１０におけるＡ−Ａ線断面図である。
【図１２】  本発明の実施例を示す左右側面図である。
【図１３】  図１１におけるＢ−Ｂ線断面図である。
【図１４】  図１１におけるＢ−Ｂ線断面図である。
【図１５】  図１１におけるＣ−Ｃ線断面図である。
【図１６】  本発明の実施例を示す組付け図である。
【発明を実施するための形態】
【００１２】    図１は本発明の使用例を示す。輪になったゴムひも（１）が口内から後頭部にかけて巻かれており、浮き（１１）が後頭部に位置するように取付けられている。ゴムひも（１）は、浮き（１１）に防水内蔵されたばね接点（１１ａ）を引き離した状態でつながれており、頭部に巻かれた状態であればその張力を維持できるが、溺水状態になって輪が解き放たれると、たちまちその張力を失い、浮き（１１）が水面に浮上するとともに、ばね接点（１１ａ）が復元され、これに連結された器機により、ブザー音・電波信号（１１ｂ）が発せられる。
【００１３】    図２は本発明の使用例を示す。輪になったゴムひも（１）が口内から後頭部にかけて巻かれており、首元には膨張式浮揚具（１２）が巻かれている。ゴムひも（１）は、膨張式浮揚具（１２）内部の弁（１２ｄ）を引き上げた状態になるよう、ばね（１２ｃ）およびワイヤー（１２ｂ）でつながれており、これらを包んだゴムチューブ（１２ａ）の先端部にてその接続部が係止されている。頭部に巻かれた状態であればその張力により係止を維持できるが、溺水状態になって輪が解き放たれると、たちまちその張力を失い、ゴムチューブ（１２ａ）内に引き込まれる。それに従って弁（１２ｄ）は開放され、膨張式浮揚具（１２）内に水が流入し、内部の水感知器を作動させることにより、膨張式浮揚具（１２）を連動させる。
【００１４】    図３は本発明の使用例を示す。ゴムひも（１）が輪になるように、その片端は、唾液や水しぶきに濡れないよう筒（３）内部に設置された水溶性の係止物（２）に係止されており、別の片端は、筒（３）内部に留め具（６）で留められている。この筒（３）を口内に含んだ状態で、ゴムひも（１）の輪を頭部に被るようにして装着する。係止物（２）の形状や係止の方法が限定されるものではないが、以下にその実施例を示す。
【００１５】    図４・５・６・７・８・９は本発明実施の一例を示している。ゴムひも（１）の両端はアイスプライス形状で、水溶性の係止物（２）に通すように係止させている。係止物（２）は紙製の筒であり、これを筒（３ａ）のセット穴に両端が少しはみ出るように通し、筒（３ｂ）を筒（３ａ）にはめ込んで、これを挟持させている。筒（３ａ）（３ｂ）の両側にゲート（４）を設置する。ゲート（４）は、耐水性のシートの直径方向に切り目を施し、一定の水圧で開閉する弁であり、唾液や水しぶきの微弱な水圧水を通さず、溺水時浸水圧水のみを通すようにする。これを、多孔質膜や網で代用してもよい。ゲート（４）を押さえ（４ａ）とカバー（５）で、筒（３ａ）（３ｂ）の両側に挟み込む。ゲート（４）に舌や指が接触しないよう、カバー（５）の開口部に目の粗い格子状のガードを施してある。ゴムひも（１）の通し穴は、筒（３ａ）（３ｂ）及びカバー（５）に貫通してあけてあるが、ゴムひも（１）の輪の開放に支障がない程度にきつくして、唾液や水しぶきの浸水を防いでいる。ゴムひも（１）の片端は、輪の開放時に抜けないよう留め具（６）で筒（３ａ）に留められている。感知部の外形は両端に穴のあいたカプセル形状であり、開口部が口の正面向きであるので、溺水吸い込みの水流をストレートに受け、溺水時浸水圧を感知し易くなっている。
【００１６】    図１０・１１・１２・１３・１４・１５・１６は本発明実施の一例を示している。感知部は分割式となっており、筒（３ａ）と筒（３ｂ）の一部をはめ合わせ、その連結部の貫通穴に水溶性の係止物（２）を通し、それらを包むようにカバー（５）をはめ込ませている。係止物（２）は紙圧縮成形された円柱であるが、強度と水溶速度の条件が合えば、他の素材でもよい。筒（３ａ）（３ｂ）内の連結部両側にゲート（４）を設置する。ゲート（４）は、図１３に示すような網状のものであり、唾液や水しぶきの微弱な水圧水を通さず、溺水時浸水圧水のみを通すようにするが、多孔質膜で代用してもよい。押さえ（４ａ）に張りつかせて、外部と接触しないよう筒（３ａ）（３ｂ）内部に押し込んでおく。図１４に示すような薄い耐水性膜による弁で代用する場合は、これを押さえ（４ａ）に接着固定し、前者と同じく筒（３ａ）（３ｂ）内部に押し込んでおく。ゴムひも（１）の両端は、結合された筒（３ａ）（３ｂ）の両端を包むようにはめ込ませるが、溺水時浸水に支障のないよう開口させておく。
【符号の説明】
【００１７】    １      ゴムひも
２      係止物
３      筒
３ａ    筒
３ｂ    筒
４      ゲート
４ａ    押さえ
５      カバー
６      留め具
１１    浮き
１１ａ  ばね接点
１１ｂ  ブザー音・電波信号
１２    膨張式浮揚具
１２ａ  ゴムチューブ
１２ｂ  ワイヤー
１２ｃ  ばね
１２ｄ  弁
【図１】
2020047232.tif 000003
【図２】
2020047232.tif 000004
【図３】
2020047232.tif 000005
【図４】
2020047232.tif 000006
【図５】
2020047232.tif 000007
【図６】
2020047232.tif 000008
【図７】
2020047232.tif 000009
【図８】
2020047232.tif 000010
【図９】
2020047232.tif 000011
【図１０】
2020047232.tif 000012
【図１１】
2020047232.tif 000013
【図１２】
2020047232.tif 000014
【図１３】
2020047232.tif 000015
【図１４】
2020047232.tif 000016
【図１５】
2020047232.tif 000017
【図１６】
2020047232.tif 000018